(57)【要約】【課題】ブランクシートへの片面印刷で、正面部の印刷及び正面部の面積に拘束されずにポップ表示をすることができる。【解決手段】正面部３と、正面部３の両側辺に連接される一対の側面部４，５と、側面部４，５に連接される背面部６と、正面部３、側面部４，５及び背面部６のいずれかの下辺に連なって設けられ、底面部４０を形成可能な複数の底フラップとを備え、正面部３には、正面部３を上下部に分離可能な第１の破断線が形成され、側面部４，５には記第１の破断線に連続する第２の破断線が形成され、複数の底フラップの少なくともいずれか一つは、下辺において折り畳まれた際に、正面部３の内側面又は正面部３の側辺に重なり得る一辺を有し、更に下辺において折り畳まれた際に正面部３に重なって貼着可能なポップ表示部１５を前記一辺を介して連接させており、前記一辺は、底フラップからポップ表示部１５を分離可能とするポップ破断線となっている。【選択図】図２
2018114991.tif 000002
【特許請求の範囲】
【請求項１】
正面部と、
前記正面部の両側辺のそれぞれに連接される一対の側面部と、
前記一対の側面部に連接される背面部と、
前記正面部、前記一対の側面部及び前記背面部の少なくともいずれかの下辺に連なって設けられ、底面部を形成可能な複数の底フラップと、を備え、
前記正面部には、この正面部を上下部に分離可能な第１の破断線が形成され、前記一対の側面部には前記第１の破断線に連続する第２の破断線が形成され、
前記複数の底フラップの少なくともいずれか一つは、前記下辺において折り畳まれた際に、前記正面部の内側面又は前記正面部の側辺に重なり得る一辺を有し、更に前記下辺において折り畳まれた際に前記正面部に重なって貼着可能なポップ表示部を前記一辺を介して連接させており、
前記一辺は、前記ポップ表示部を有した底フラップから前記ポップ表示部を分離可能とするポップ破断線となっており、
前記複数の底フラップを内側に折り畳んだ状態で、筒状に連接させた前記正面部、前記一対の側面部及び前記背面部を平坦に折り畳んでおき、この際前記ポップ表示部を前記正面部の内面側に貼着させておくことにより、前記正面部、前記一対の側面部及び前記背面部、並びに前記複数の底フラップを立体の筒形状に引き起して製函した際に、前記ポップ表示部を連接させた前記底フラップから分離させ、前記第１の破断線の上側を除去した前記正面部の開口端から前記ポップ表示部を前傾させ得るブランクシート。
【請求項２】
前記複数の底フラップは、少なくとも前記正面部の下辺及び前記側面部の一方の下辺のそれぞれに設けられ、
前記正面部の下辺に設けられた底フラップ及び前記側面部の一方の下辺に設けられた底フラップの双方に、前記正面部の内側面もしくは前記正面部の側辺に重なり得る前記一辺を有し、
前記ポップ表示部は、前記正面部の下辺に設けられた底フラップと、前記側面部の一方の下辺に設けられた底フラップとの双方に、異なる方向から連接している請求項１に記載のブランクシート。
【請求項３】
前記第１の破断線を境として分けられる前記正面部の下部は、前記ポップ表示部を貼着させるとともに、前記ポップ表示部と共に正面側に折れ曲がって前記ポップ表示部を前傾させる接合代と、製函後に収容される商品の前面を支持する前面保持部とを有し、
前記ポップ表示部は、前記接合代の内側面に貼着されている請求項１又は２に記載のブランクシート。
【請求項４】
前記第１の破断線を境として分けられる前記正面部の下部は、製函後に収容される商品の前面を支持する前面保持部を構成し、
前記ポップ表示部は、前記前面保持部の内側に貼着される接合代を有するとともに、この接合代の上端に折り曲げ線を有している請求項１又は２に記載のブランクシート。
【請求項５】
前記正面部には、開口窓を形成可能で、前記第１の破断線と連続する窓形成破断線が形成され、
前記ポップ表示部は、前記窓形成破断線において前記正面部の一部を除去し形成される開口窓よりも手前側に突出可能な請求項１から４のいずれか一項に記載のブランクシート。
【請求項６】
前記ポップ表示部の幅寸法が、側方支持部どうしの間又は前記開口窓の幅寸法よりも大きく形成されている請求項５に記載のブランクシート。
【請求項７】
正面部と、
前記正面部の両側辺のそれぞれに連接される一対の側面部と、
前記一対の側面部に連接される背面部と、
前記正面部、前記一対の側面部及び前記背面部の少なくともいずれかの下辺に連なって設けられ、底面部を形成可能な複数の底フラップと、を備え、
前記複数の底フラップの少なくともいずれか一つは、前記下辺において折り畳まれた際に、前記正面部の内側面又は前記正面部の側辺に重なり得る一辺を有し、更に前記下辺において折り畳まれた際に前記正面部に重なって貼着可能なポップ表示部を前記一辺を介して連接させており、
前記一辺は、前記ポップ表示部を有した底フラップから前記ポップ表示部を分離可能とするポップ破断線となっており、
前記複数の底フラップを内側に折り畳んだ状態で、筒状に連接させた前記正面部、前記一対の側面部及び前記背面部を平坦に折り畳んでおき、この際前記ポップ表示部を前記正面部の内面側に貼着させておくことにより、前記正面部、前記一対の側面部及び前記背面部、並びに前記複数の底フラップを立体の筒形状に引き起して製函した際に、前記ポップ表示部を連接させた前記底フラップから分離させ、前記正面部の開口端から前記ポップ表示部を前傾させ得るブランクシート。
【請求項８】
請求項１から７のいずれか一項に記載のブランクシートを備え、
前記ブランクシートの複数の底フラップが、筒状に連接した正面部、一対の側面部及び背面部の内側に折り畳まれるとともにポップ表示部が正面部の内面側に貼着した状態で、筒状の前記正面部、前記一対の側面部及び前記背面部が平坦に折り畳まれた製函前ブランク。
【請求項９】
前記複数の底フラップは、前記正面部の下辺に連接した第１底フラップと、前記一対の側面部の下辺のそれぞれに連接した一対の第２底フラップと、前記背面部の下辺に連接した第３底フラップとを有し、
一対の第２底フラップはそれぞれ、第１底フラップ及び第３底フラップのいずれか一方の一部と接合し、平坦に折り畳まれた状態の筒状の正面部、一対の側面部及び背面部を立体の筒形状に引き起こす動作に伴って、第２底フラップと第１底フラップとを連動させるとともに、第２底フラップと第３底フラップとを連動させて底面部を形成可能な連動接合部を有している請求項８に記載の製函前ブランク。
【請求項１０】
請求項８又は９に記載の製函前ブランクを用いて製函された包装箱。
【発明の詳細な説明】
【技術分野】
【０００１】
本発明は、ブランクシート、製函前ブランク及び包装箱に関する。
【背景技術】
【０００２】
商品の運搬や保管時には直方体形状のまま商品を収容し、店内等での陳列時には開封して収容している商品を見せつつ、箱体の前面板を手前側に飛び出させて、商品情報を印刷した表示片を掲示させる収容箱が広く知られている（例えば、下記特許文献１，２）。
特許文献１の包装容器は、箱体の正面部又は背面部に、下側重合部及び上側重合部の２つのシートを重ね合わせ、上側重合部の一部又は全部を下側重合部から剥離可能にしている。そして、商品情報が上側重合部の重合面及び／又は下側重合部の露出可能な露出面に印刷され又は記載可能に構成されている。
また、特許文献２に記載の包装用箱は、正面部の一部である表示片部をその周囲から切り離して表示片の下辺に沿って折り曲げて手前側に前傾させ、印刷がされた表示片の表面が上面を向くように折り畳むことによって表示部を掲示させる構成になっている。
【先行技術文献】
【特許文献】
【０００３】
【特許文献１】特開２００６−６２７４８号公報
【特許文献２】特開２０１５−９８３２号公報
【発明の概要】
【発明が解決しようとする課題】
【０００４】
しかし、特許文献１の包装容器は、商品情報をポップ表示するには、上面重合部の裏面に情報を印字しなければならず、包装容器のブランクシートを両面表示することになるため、製造工程が煩雑となり、コスト高になるという課題があった。
また、特許文献２に記載の包装用箱は、正面部から引き起こした表示部分を半分に折り畳んで表示するものであるため、正面部に表示する内容がポップ表示させたい内容に拘束されてしまうという課題があった。また、この包装用箱は、ポップ表示の大きさを正面部から切り離した表示部の半分程度に制限してしまうという課題があった。
そこで本発明は、ブランクシートの片面に情報を印刷するだけで、正面部の表面に表示された内容及び正面部の切り取り面積に拘束されずにポップ表示をすることができるブランクシート、製函前ブランク及び包装箱を提供する。
【課題を解決するための手段】
【０００５】
本発明のブランクシートは、正面部と、前記正面部の両側辺のそれぞれに連接される一対の側面部と、前記一対の側面部に連接される背面部と、前記正面部、前記一対の側面部及び前記背面部の少なくともいずれかの下辺に連なって設けられ、底面部を形成可能な複数の底フラップと、を備え、前記正面部には、この正面部を上下部に分離可能な第１の破断線が形成され、前記一対の側面部には前記第１の破断線に連続する第２の破断線が形成され、前記複数の底フラップの少なくともいずれか一つは、前記下辺において折り畳まれた際に、前記正面部の内側面又は前記正面部の側辺に重なり得る一辺を有し、更に前記下辺において折り畳まれた際に前記正面部に重なって貼着可能なポップ表示部を前記一辺を介して連接させており、前記一辺は、前記ポップ表示部を有した底フラップから前記ポップ表示部を分離可能とするポップ破断線となっており、前記複数の底フラップを内側に折り畳んだ状態で、筒状に連接させた前記正面部、前記一対の側面部及び前記背面部を平坦に折り畳んでおき、この際前記ポップ表示部を前記正面部の内面側に貼着させておくことにより、前記正面部、前記一対の側面部及び前記背面部、並びに前記複数の底フラップを立体の筒形状に引き起して製函した際に、前記ポップ表示部を連接させた前記底フラップから分離させ、前記第１の破断線の上側を除去した前記正面部の開口端から前記ポップ表示部を前傾させ得る。
この構成によれば、一枚からなるブランクシートの一面に印刷をし、ポップ表示部を底フラップに分離可能に連結させるとともに、正面部に貼着させるだけで、簡単にポップ表示部を形成することができる。
【０００６】
本発明のブランクシートの前記複数の底フラップは、少なくとも前記正面部の下辺及び前記側面部の一方の下辺のそれぞれに設けられ、前記正面部の下辺に設けられた底フラップ及び前記側面部の一方の下辺に設けられた底フラップの双方に、前記正面部の内側面もしくは前記正面部の側辺に重なり得る前記一辺を有し、前記ポップ表示部は、前記正面部の下辺に設けられた底フラップと、前記側面部の一方の下辺に設けられた底フラップとの双方に、異なる方向から連接していてもよい。
この構成によれば、ブランクシートからのポップ表示部の不用意な分離を防止することができる。
【０００７】
本発明のブランクシートの前記第１の破断線を境として分けられる前記正面部の下部は、前記ポップ表示部を貼着させるとともに、前記ポップ表示部と共に正面側に折れ曲がって前記ポップ表示部を前傾させる接合代と、製函後に収容される商品の前面を支持する前面保持部とを有し、前記ポップ表示部は、前記接合代の内側面に貼着されていてもよい。
この構成によれば、接合代を確実にポップ表示に固定させることができるとともに、ポップ表示部を連接させた底フラップを確実に他の底フラップと連結させるための十分な面積を取りやすくなる。
【０００８】
本発明のブランクシートの前記第１の破断線を境として分けられる前記正面部の下部は、製函後に収容される商品の前面を支持する前面保持部を構成し、前記ポップ表示部は、前記前面保持部の内側に貼着される接合代を有するとともに、この接合代の上端に折り曲げ線を有していてもよい。
この構成によれば、接合代が前面保持部の内側に貼着されるため、前面保持部に形成する破断線をシンプルにすることができ、ポップ表示部の前傾前の外観性を向上させることができる。
【０００９】
本発明のブランクシートの前記正面部には、開口窓を形成可能で、前記第１の破断線と連続する窓形成破断線が形成され、前記ポップ表示部は、前記窓形成破断線において前記正面部の一部を除去し形成される開口窓よりも手前側に突出可能となっていてもよい。
この構成によれば、製函時に正面部等の上部を取り除くことなく開口窓から商品の一部を露出させることができ、かつこの開口窓からポップ表示部を突出させて掲示することができる。
【００１０】
本発明のブランクシートの前記ポップ表示部の幅寸法は、前記側方支持部どうしの間又は前記開口窓の幅寸法よりも大きく形成されていてもよい。
この構成によれば、ポップ表示部の印刷領域を大きくすることができるとともに、開口窓の側方にポップ表示部を係止させることができる。
【００１１】
正面部と、前記正面部の両側辺のそれぞれに連接される一対の側面部と、前記一対の側面部に連接される背面部と、前記正面部、前記一対の側面部及び前記背面部の少なくともいずれかの下辺に連なって設けられ、底面部を形成可能な複数の底フラップと、を備え、
前記複数の底フラップの少なくともいずれか一つは、前記下辺において折り畳まれた際に、前記正面部の内側面又は前記正面部の側辺に重なり得る一辺を有し、更に前記下辺において折り畳まれた際に前記正面部に重なって貼着可能なポップ表示部を前記一辺を介して連接させており、前記一辺は、前記ポップ表示部を有した底フラップから前記ポップ表示部を分離可能とするポップ破断線となっており、前記複数の底フラップを内側に折り畳んだ状態で、筒状に連接させた前記正面部、前記一対の側面部及び前記背面部を平坦に折り畳んでおき、この際前記ポップ表示部を前記正面部の内面側に貼着させておくことにより、前記正面部、前記一対の側面部及び前記背面部、並びに前記複数の底フラップを立体の筒形状に引き起して製函した際に、前記ポップ表示部を連接させた前記底フラップから分離させ、前記正面部の開口端から前記ポップ表示部を前傾させ得る。
この構成によれば、一枚からなるブランクシートの一面に印刷をし、ポップ表示部を底フラップに分離可能に連結させるとともに、正面部に貼着させるだけで、簡単にポップ表示部を形成することができる。
【００１２】
本発明の製函前ブランクは、前記いずれか一のブランクシートを備え、前記ブランクシートの複数の底フラップが、筒状に連接した正面部、一対の側面部及び背面部の内側に折り畳まれるとともにポップ表示部が正面部の内面側に貼着した状態で、筒状の前記正面部、前記一対の側面部及び前記背面部が平坦に折り畳まれている。
この構成によれば、前記したブランクシートと同様の作用を発揮し得る。
【００１３】
本発明の製函前ブランクの前記複数の底フラップは、前記正面部の下辺に連接した第１底フラップと、前記一対の側面部の下辺のそれぞれに連接した一対の第２底フラップと、前記背面部の下辺に連接した第３底フラップとを有し、一対の第２底フラップはそれぞれ、第１底フラップ及び第３底フラップのいずれか一方の一部と接合し、平坦に折り畳まれた状態の筒状の正面部、一対の側面部及び背面部を立体の筒形状に引き起こす動作に伴って、第２底フラップと第１底フラップとを連動させるとともに、第２底フラップと第３底フラップとを連動させて底面部を形成可能な連動接合部を有している。
この構成によれば、製函前ブランクによる包装箱の形成工程をシンプルにすることができる。
【００１４】
本発明の包装箱は、前記いずれかの製函前ブランクを用いて製函されている。
この構成によれば、上記いずれかの作用を奏する。
【発明の効果】
【００１５】
本発明のブランクシート、製函前ブランク及び包装箱は、ブランクシートへの片面印刷で、正面部の表面に表示された情報内容及び正面部の切り取り面積に拘束されずにポップ表示をすることができるという効果を奏する。
【図面の簡単な説明】
【００１６】
【図１】本発明の第１の実施形態のブランクシートの内側面を示した図である。
【図２】本発明の第１の実施形態の包装箱を示した斜視図である。
【図３】本発明の第１の実施形態のブランクシートにより製函前ブランクを作成する工程を示す図である。
【図４】本発明の第１の実施形態の製函前ブランクを示す図である。
【図５】図４の複数の底フラップを拡大して示した図である。
【図６】本発明の第１の実施形態の製函前ブランクにより包装箱を作成する工程を示す上面図である。
【図７】本発明の第１の実施形態の包装箱を、蓋部を開口して示した上面図である。
【図８】本発明の第１の実施形態の包装箱を、上部を除去して示した斜視図である。
【図９】本発明の第１の実施形態のブランクシートの変形例の内側面を示した図である。
【図１０】本発明の第２の実施形態のブランクシートの内側面を示した図である。
【図１１】本発明の第２の実施形態の包装箱を、上部を除去してポップ表示部を前傾させない状態を示した斜視図である。
【図１２】本発明の第２の実施形態の包装箱を、上部を除去してポップ表示部を前傾させた状態を示した斜視図である。
【図１３】本発明の第３の実施形態のブランクシートの内側面を示した図である。
【図１４】本発明の第３の実施形態の包装箱を、開口窓を形成してポップ表示部を前傾させない状態を示した斜視図である。
【図１５】本発明の第３の実施形態の包装箱を、開口窓を形成してポップ表示部を前傾させた状態を示した斜視図である。
【図１６】本発明の第３の実施形態の包装箱を、上部を除去してポップ表示部を前傾させた状態を示した斜視図である。
【図１７】本発明の第３の実施形態の包装箱の変形例を、開口窓を形成してポップ表示部を前傾させた状態を示した斜視図である。
【図１８】本発明の第４の実施形態のブランクシートの内側面を示した図である。
【図１９】本発明の第４の実施形態の包装箱を、開口窓を形成してポップ表示部を突出させた状態を示した斜視図である。
【図２０】本発明の第４の実施形態の包装箱を、開口窓を形成してポップ表示部を突出させて折り畳んだ状態を示した斜視図である。
【図２１】本発明の第４の実施形態の包装箱を、上部を除去してポップ表示部を突出させて折り畳んだ状態を示した斜視図である。
【発明を実施するための形態】
【００１７】
以下、図を参照して本発明のブランクシート及び包装箱の各実施形態を説明する。
なお、本明細書において、上下左右とは、包装箱を底面部が下面となるように載置し包装箱を正面部から視た場合の相対的な位置関係を指すものであり、正面側を手前側又は前側、背面側を奥側又は後側ということもある。
図１，図３，図９，図１０，図１３及び図１８は、ブランクシート１Ａを内面側から視た図であるため、後述する右側面部が正面部の左側に、左側面部が正面部の右側に表れている。
【００１８】
図１又は図２に示すように、本発明のブランクシート１Ａは、製函時に矩形の四辺から立ち上がり筒状体２を形成する正面部３、一対の側面部４，５及び背面部６と、筒状体２の底側開口部を開閉する複数の底フラップ７，８，８，９と、底フラップ７に連接したポップ表示部１５と、蓋部１６とを有している。このブランクシート１Ａは、剛性のある紙製又は合成樹脂製の１枚のシートを型抜きし，スリットや破断線を入れて形成されている。
【００１９】
正面部３は、ブランクシート１Ａの製函時、すなわち図２に示す包装箱Ｘ１の状態で正面に向けられる矩形の板状部である。正面部３の上下方向の中間部（本実施形態ではやや下方寄りの位置）には、この正面部３を上下部に分断可能な第１の破断線２０が形成されている。
図１に示すように、第１の破断線２０は、正面部３の両側辺３ｓ，３ｓから内側に向かって略水平方向に延びた後、湾曲しつつ少し下方に延びた線２０ａと、台形の両傾斜辺及び上辺を成す接合代形成線２０ｂとを備えている。
【００２０】
接合代形成線２０ｂの両傾斜辺の下端どうしは、折り目線２１で結ばれている。
接合代形成線２０ｂと折り目線２１とに囲まれた台形の部分は、正面部３の下部３５の一部として設けられた接合代２２であり、内側面３ａに接着材Ｄを設けてポップ表示部１５を接合させるようになっている。
【００２１】
正面部３の下部３５のうち接合代２２を除いた部分は、ブランクシート１Ａの製函後の図２に示す包装箱Ｘ１の内部に収容する商品（不図示。以下同様）の前面を支持する前面保持部２３を構成している。
詳細には、前面保持部２３は、商品の前面下側を支持する下方支持部２３ｋと、下方支持部２３ｋの両側から上方に延び、商品の前面両側部の一部を支持する側方支持部２３ｈとを有している。本実施形態では、側方支持部２３ｈは小さく形成されている。
正面部３の上辺３ｔには、略台形の短フラップ２４が設けられている。
【００２２】
一対の側面部４，５は、正面部３の両側辺３ｓ，３ｓに連なって設けられており、それぞれ右側面部４及び左側面部５を構成している。この一対の側面部４，５は、縦（高さ）方向及び横（幅）方向の寸法を同一とする矩形に形成されている。一対の側面部４，５は、製函時に互いに対向する。
【００２３】
一対の側面部４，５には、第１の破断線２０の両端２０ｅから連続して、後側の側辺４ｓ，５ｓに向かってそれぞれ斜め上方に向かって延び、一対の側面部４，５をそれぞれ上下部に分断させ得る第２の破断線２５が形成されている。
一対の側面部４，５のうちの一方（本実施形態では右側面部４）の上端には、幅方向の中央部に、蓋部１６の開閉を容易にするための台形の切欠部２６を形成する切欠き用破断線２６Ｌが形成されている。
【００２４】
一対の側面部４，５のうちの他方（本実施形態では左側面部５）の上辺５ｔには、図２に示す筒状体２の天面を開閉する蓋部１６が連なって設けられている。
蓋部１６は、図２に示す筒状体２の上側開口部の全体を覆い得る面積を有する矩形に形成されている。
蓋部１６には、製函時に右側面部４の内側面４ａに沿って差し込まれる差し込み片２７が形成されている。差し込み片２７の先端角部は、製函時に筒状体２内への差し込みを容易にするようアールが形成されている。
【００２５】
一対の側面部４，５のうちの一方（本実施形態では左側面部５）の後側の側辺５ｓには、左側面部５と背面部６とを連結させて図２に示す筒状体２とするための接合代２８が設けられており、同他方の後方側の側辺４ｓには、背面部６が連なって設けられている。
本実施形態では、接合代２８は、台形で小幅に形成されている。
【００２６】
背面部６は、本実施形態では、右側面部４の後側の側辺４ｓに連なって設けられており、縦（高さ）方向及び横（幅）方向の寸法が正面部３と同一である矩形に形成されている。
背面部６の上下方向中間部（本実施形態ではやや上方寄りの位置）には、製函時に２つの第２の破断線２５の端部２５ｅ，２５ｅと連続する第３の破断線２９が形成されている。
【００２７】
第３の破断線２９は、第１の破断線２０及び第２の破断線２５と同様、背面部６を上下部に分断可能な線であり、下方に向かって緩やかに湾曲した線となっている。
背面部６の下部６５の上端には、背面部６の内側面６ａ側に向かって折り曲げられ、開口部を形成可能とする折り曲げ片部３０が、背面部６の中央又は左右いずれか寄り（本実施形態では右寄りの箇所）に設けられている。
【００２８】
折り曲げ片部３０は、第３の破断線２９の一部と略垂直に交わり、所定の間隔を空けて互いに平行に形成された２つのスリット３１，３１と、スリット３１，３１の端部３１ｅ同士を結ぶ折り曲げ線３２と、第３の破断線２９とに囲まれて略矩形に形成されている。なお、折り曲げ片部３０は、第３の破断線２９から前側に向かって筒状体２の上部を分離するための始点になる箇所であるため、２つのスリット同士の間隔は、特に限定されないが、人の指が１〜３本同時に入る程度の幅寸法があればよい。
【００２９】
背面部６の上辺６ｔには、正面部３と同様の略台形の短フリップ３３が設けられている。
背面部６は、製函時には右側面部４の側辺４ｓ及び左側面部５の側辺５ｓの双方に連接し、正面部３と対向する面を構成する。
【００３０】
複数の底フラップ７，８，８，９は、正面部３の下辺３ｃに連なって設けられた第１底フラップ７と、一対の側面部４，５の下辺４ｃ，５ｃに連なって設けられた一対の第２底フラップ８，８と、背面部６の下辺６ｃに連なって設けられた第３底フラップ９とを備えている。複数の底フラップ７，８，８，９は、図２に示す底面部４０を構成する。
以下、説明の便宜の点から、第２底フラップ８から順に説明する。
【００３１】
第２底フラップ８は、一対の側面部４，５の下辺４ｃ，５ｃを下底辺とする台形のベース部４１と、ベース部４１の内側傾斜辺４１ｎから突出し、第１底フラップ７又は第３底フラップ９と接合してこれらと連動可能となる連動接合部４２とを備えている。
【００３２】
一対の側面部４，５の下辺４ｃ，５ｃにそれぞれ設けられたベース部４１は、下辺４ｃ，５ｃが延びる方向に視て下辺４ｃ，５ｃの中心に対応する幅方向の位置よりも一端側に寄せて先端辺４１ｔ（台形でいうと上辺に相当する辺）が位置するように設けられている。言い換えると、一方のベース部４１は、第１底フラップ７寄りに、他方のベース部４１は製函時に第３底フラップ９寄りに先端辺４１ｔが位置するように形成されている。
【００３３】
すなわち、ベース部４１は、下辺４ｃ，５ｃと、その一端から急峻に立ち上がる外側傾斜辺４１ｍと、外側傾斜辺４１ｍの先端から下辺４ｃ，５ｃに略平行に延びる先端辺４１ｔと、先端辺４１ｔの端から下辺４ｃ，５ｃに対して緩やかな傾斜を成す内側傾斜辺４１ｚ及び内側傾斜辺４１ｎとに囲まれている。内側傾斜辺４１ｚと内側傾斜辺４１ｎとの間には小さな略三角形の切欠き４６が形成され、製函時に他のベース部４１の切欠き４６と互いに係合可能になっている。
【００３４】
第２底フラップ８，８は共に略同形状に形成されているが、第１底フラップ７との連動接合部４２を有しない第２底フラップ８のベース部４１には、連結部４５が形成されている。
連結部４５は、外側傾斜辺４１ｍの先端辺４１ｔ側においてポップ表示部１５に向けてわずかに突出するように形成されている。連結部４５の側辺４５ｓは、連結点ｐ，ｐ・・を介して連結部４５を有する第２底フラップ８とポップ表示部１５と連結又は分離させる連結部破断線４５ｓとなっている。
連結部４５の連結部破断線４５ｓは、第２底フラップ８が右側面部４に折り重ねられた際に正面部３の内側面３ａ又は側辺３ｓと重なり得る一辺を構成している。
【００３５】
連動接合部４２は、隣り合う第１底フラップ７又は第３底フラップ９に強固に接合できる形状及び大きさで形成されている。
第３底フラップ９は、第２底フラップ８のベース部４１よりもやや小さい台形で、下辺６ｃからの突出が第２底フラップ８よりも小さくなるように形成されている。
【００３６】
第１底フラップ７は、第３底フラップ９と同形状の台形の下辺側の約半分のみが形成され、その先端辺７ｔに略矩形のポップ表示部１５が形成されている。
先端辺７ｔは、第１底フラップ７側にやや湾曲して凹む形状を成している。この先端辺７ｔ上には、ポップ表示部１５を第１底フラップ７から分離させるポップ破断線５０が形成されている。このポップ破断線５０は、正面部３に折り重ねられた際に正面部３の内側面３ａと重なり得る一辺を構成している。
【００３７】
第１底フラップ７の突出寸法は、第１底フラップ７を正面部３の内側面３ａに折り畳んだ際にその先端辺７ｔが正面部３の前面保持部２３の折り目線２１と略一致し得る寸法となるように形成されている。
【００３８】
以上の構成を有する第１底フラップ７から第３底フラップ９は、それぞれ各下辺３ｃ−６ｃから立ち上がった際に、それぞれの少なくとも一部が上面視時計回りに隣り合う底フラップに重なり、底面部４０の全体をしっかりと閉塞できるようになっている。また、一対の第２底フラップ８，８には互いに係合する切欠き４６が形成されており、底面部４０の形成時にこれらが係合して容易には外れないボトムロック式の底面部４０が形成されるようになっている。
【００３９】
そして、連動接合部４２が、接着材等によって隣り合う第１底フラップ７又は第３底フラップ９の外表面（図１で表れている面の裏面）に貼着し、ベース部４１の内側傾斜辺４１ｎの一部を折り曲げた状態でベース部４１と連接できるようになっている。
【００４０】
次に、ブランクシート１Ａを折り畳んだ製函前ブランクＹにする方法について説明する。
ブランクシート１Ａを製函前の折り畳んだ状態にするには、図３に示すように、ブランクシート１Ａの内側面３ａ―６ａに向けて第１底フラップ７から第３底フラップ９を折り畳む。そして、第２底フラップ８の連動接合部４２を更に谷折りし、ベース部４１に折り重ねる。
【００４１】
第１底フラップ７を折り畳む際には、正面部３の下部３５に形成された接合代２２の内側面３ａに接着材Ｄを設けておき、第１底フラップ７及びポップ表示部１５を折り畳んだ際にポップ表示部１５を接合代２２にしっかりと貼着させる。
【００４２】
このように、全ての底フラップ７，８，８，９を正面部３等に折り重ねた状態で、図４に示すように接合代２８が形成された左側面部５を図３に示す内側面３ａ，５ａ同士が対向するように正面部３に重ねる。次に、背面部６を図３に示す内側面４ａ，６ａ同士が対向するように右側面部４に重ねる。
【００４３】
そうすると、図５に示すように第１底フラップ７に連動接合部４２が、また他方の連動接合部４２に第３底フラップ９が重なり、更に図４に示すように接合代２８に背面部６が重なるので、それぞれの重なる領域に接着材Ｄを設けておき、折り畳み時に貼着させる。
【００４４】
以上により、図４に示す正面部３、一対の側面部４，５及び背面部６が折り畳まれた筒状体２となるとともに、第１底フラップ７から第３底フラップ９が連動して図７に示す底面部４０の形成が可能な状態となって、製函前ブランクＹが完成する。
【００４５】
次に、製函前ブランクＹを使用してポップ表示部１５を前傾可能な包装箱Ｘ１を形成する方法と作用について説明する。
製函前ブランクＹを包装箱Ｘ１にするには、図４に示す折り畳まれた筒状体２の角部をなす両側部を互いに接近させるように押す。そうすると、連動接合部４２が隣り合う第１底フラップ７又は第３底フラップ９に接合しているために，第１底フラップ７及び第２底フラップ８並びに第３底フラップ９と第２底フラップ８とが筒状体２の開口に伴って互いに引っ張り合って、筒状体２の下辺３ｃ−６ｃから立ち上がり始める。
【００４６】
筒状体２の両側部を更に押して開口を進めると、第２底フラップ８が右側面部４の下辺から立ち上がろうとする力が更に加わり、図６に示すように、ポップ表示部１５と連結させている連結部破断線４５ｓが切断される。更には、第２底フラップ８の互いに折り畳まれた連動接合部４２とベース部４１とが共に底面部４０を形成しようと平坦に立ち上がろうし、第１底フラップ７を強く引っ張るため、ポップ破断線５０が切断されて、ポップ表示部１５が接合代２２に接着した状態で第１底フラップ７とポップ表示部１５とが分離する。
【００４７】
第１底フラップ７及び第２底フラップ８がポップ表示部１５から分離することで第１底フラップ７から第３底フラップ９が筒状体２の各下辺から完全に立ち上がり可能になり、図７に示すように第２底フラップ８のベース部４１に形成された切欠き４６，４６同士が係合し、ロック状態が出来上がって底面部４０が形成される。
以上のようにして、蓋部１６が開口した状態の包装箱Ｘ１が完成する。
【００４８】
この包装箱Ｘ１を使用する際には、包装箱Ｘ１の内部に適宜不図示の商品を収容し、蓋をして運搬又は保管をしておき、小売店等で商品を陳列する際には、切欠き２６が形成された背面部６から第３の破断線２９、第２の破断線２５、及び第１の破断線２０に沿って筒状体２の上部を切り取り、除去する。そうすると、図２に示すように包装箱Ｘ１は、商品の上部側を露出可能な状態になり、ポップ表示部１５が前面保持部２３から突出した状態になるので、図８に示すようにポップ表示部１５を接合代２２と共に手前側に折り返してポップ表示部１５の表面を前傾させる。
以上により、ポップ表示をした状態で包装箱Ｘ１を陳列に使用することができる。
【００４９】
このように、本発明のブランクシート１Ａは、第１底フラップ７にポップ表示部１５を連ね、ポップ表示部１５を正面部３の内側面３ａに折り重ね、折り目線２１においてポップ表示部１５を更に前方に折り返す構成となっている。即ち、ブランクシート１Ａは、包装箱Ｘ１の印字面となる外表面と同じ側の面に印字した情報を前傾させて掲示することができるようになっており、外表面となる面に印字すればよいため、効率的かつ安価に製造をすることができるという効果を奏する。
【００５０】
また、製函前ブランクＹは、ポップ表示部１５を第１底フラップ７に分離可能に設けた上で内側面３ａに貼着させており、かつ、第１底フラップ７及び第２底フラップ８並びに第２底フラップ８及び第３底フラップ９を連動可能に貼着させて折り畳んでいる。したがって、製函前ブランクＹは、畳まれた筒状体２を四角柱状に起こす動作をするだけで、底フラップ７−９を引き起こして底面部４０を張り、更にポップ表示部１５を第１底フラップ７から分離させて正面部３に貼り付けた包装箱Ｘ１にすることができる。すなわち、製函前ブランクＹは、包装箱Ｘ１とポップ表示部１５を別個に作成した上でポップ表示部１５を包装箱Ｘ１に貼着させるという工程を回避して、極めて容易にポップ表示部１５の掲示が可能な包装箱Ｘ１を作成することができるという効果を奏する。
【００５１】
また、ブランクシート１Ａ及び製函前ブランクＹは、第１底フラップ７とポップ表示部１５との接合代２２を正面部３の下部３５側に形成し、ポップ表示部１５を接合代２２の内側面３ａに貼着させ、かつポップ破断線５０をシンプルな湾曲線にしている。したがって、ブランクシート１Ａ及び製函前ブランクＹは、底面部４０の形成時にポップ表示部１５を第１底フラップ７から容易に分離させることができるという効果を奏する。
【００５２】
また、ブランクシート１Ａ及び製函前ブランクＹは、ポップ表示部１５の幅寸法を側方支持部２３ｈ，２３ｈ間の寸法よりもやや大きく形成している。したがって、ポップ表示部１５を折り目線２１において折り曲げて前傾させた際に、ポップ表示部１５の角部に側方支持部２３ｈ，２３ｈを乗り越えさせ、その後はポップ表示部１５の角部が側方支持部２３ｈに係合する。よって、ブランクシート１Ａ及び製函前ブランクＹは、ポップ表示部１５を前傾させた後に折り曲げ前の状態に戻ろうとすることを防止することができるという効果を奏する。また、ブランクシート１Ａ及び製函前ブランクＹは、ポップ破断線５０が湾曲しているという構成によっても同様の効果を奏する。
【００５３】
また、ブランクシート１Ａ及び製函前ブランクＹは、第１底フラップ７の先端辺７ｔと第２底フラップ８の外側傾斜辺４１ｍに設けられた連結部４５の側辺４５ｓとにポップ表示部１５を連結させている。すなわち、ポップ表示部１５が異なる２方向において連接している。したがって、ブランクシート１Ａ及び製函前ブランクＹは、印刷を含む製造時にポップ表示部１５を分離させてしまうことを効果的に防止し、製造上の歩留まりを抑えることができるという効果を奏する。また、ブランクシート１Ａ及び製函前ブランクＹは、ポップ表示部１５を異なる２方向から支持しているため、破断線４５，５０における連結点ｐの数を少なくし又は連結点ｐを小さくしてポップ表示部１５の分離をより容易にすることが可能となるという効果を奏する。
【００５４】
なお、第１の実施形態では、第１底フラップ７に接合する連動接合部４２を有しない第２底フラップ８のベース部４１は、ポップ表示部１５と連結させる連結部４５を有していたが、連結部４５は必須ではない。具体的には、図９に示すように、ポップ表示部１５は、第１底フラップ７にのみ連結させたものであってもよい。
このような構成とすることで、連結部４５を設けることによる第１底フラップ７と、ポップ表示部１５と、第２底フラップ８との間の開口を打ち抜く作業を回避することができ、ブランクシート１Ａの製造をより容易にすることが可能となる。また、第１の実施形態のブランクシート１Ａ及び製函前ブランクＹが有する作用、機能及び効果を発揮することができる。
また、ブランクシート１Ａは、連結部４５がなく、連結部破断線４５ｓが、正面部３の側編３ｓに重なった構成であってもよい。
【００５５】
また、図示しないが、ポップ表示部１５は、図１に示す連結部４５とのみ連結させたものであってもよい。この場合には、連結部４５を設けることにより開口部のうち抜きが発生し得るものの、第１の実施形態のブランクシート１Ａ及び製函前ブランクＹが有する作用、機能及び効果を発揮することができる。
また、本実施形態では、背面部６に第３の破断線２９が形成され、背面部６が上下方向に分離できるようになっているが、背面部６は必ずしも第３の破断線２９を有していなくてもよい。この場合、一対の側面部４，５に形成された第２の破断線２５，２５はそれぞれ、一対の側面部４，５の上端に至らせる等して一対の側面部４，５を上下部に分けるように形成されていればよい。
【００５６】
次に、図１０−図１２を用いて本発明の第２の実施形態のブランクシート１Ｂ、製函前ブランクＹ及び包装箱Ｘ２について説明する。なお、本実施形態において第１の実施形態のブランクシート１Ａ及び包装箱Ｘ１と同一の構成については同一の符号を付してその説明を省略し、主としてブランクシート１Ａ等と異なる構成について説明する。
【００５７】
ブランクシート１Ｂがブランクシート１Ａと異なる点は、ポップ表示部１５と正面部３の下部３５との接合代８０の構成である。すなわち、ブランクシート１Ａでは、図１に示すように、ポップ表示部１５と正面部３の下部３５との接合代２２が下部３５に形成されていたのに対し、ブランクシート１Ｂでは、図１０に示すようにポップ表示部１５側に接合代８０が形成されている。
詳細には、ポップ表示部１５と第１底フラップ７との間に略楕円形状の接合代８０が形成されている。そして、接合代８０の周及びポップ表示部１５と第１底フラップ７との間に破断線８１が形成されている。
【００５８】
接合代８０は、切込み８５，８５によってポップ表示部１５に食い込んで形成されている。切込み８５，８５の先端同士の間には、ポップ表示部１５の一部を折り曲げ可能とする罫線８４が形成されている。また、接合代８０においてポップ表示部１５の外縁の延長線が位置するライン上には、この線においてポップ表示部１５を回動させて前傾させるための折り曲げ線８６，８６が形成されている。
折り曲げ線８６，８６同士の間には切込み８２が形成されている。
一方、第１の破断線２０には、上方に僅かに突出した形状の係止凸部８３が形成されている。係止凸部８３は、接合代８０に形成された切込み８２に対応する位置に形成されている。
【００５９】
ブランクシート１Ｂによって製函前ブランクを作成する方法は、第１底フラップ７及びポップ表示部１５並びに他の底フラップ８，９を正面部３，側面部４，５及び背面部６に折り重ねる際に、接合代８０が正面部３の下部３５に貼着し得るように接着材Ｄを接合代８０に設ける点以外は、ブランクシート１Ａの場合と同様である。
図１１に示す包装箱Ｘ２において、ポップ表示部１５を手前側に折り畳み前傾させた場合には、図１２に示すように係止凸部８３を切込み８２に挿入させる。また、罫線８４において軽い折り癖を付ける。
【００６０】
以上の構成を有することにより、ブランクシート１Ｂ、これにより作成される製函前ブランクＹ及び包装箱Ｘ２は、ブランクシート１Ａ、製函前ブランクＹ及び包装箱Ｘ１と同様の作用、機能及び効果を得ることができる。
また、ポップ表示部１５に形成した接合代８０の係止凸部８３を切込み８２に挿入することができるため、ポップ表示部１５の前傾を容易に固定することができるという効果を奏する。
また、折り曲げ線８６，８６に加え罫線８４において、ポップ表示部１５を更に前傾方向に折り曲げることができるため、ポップ表示部１５の前傾をより安定させることができるという効果を奏する。
【００６１】
また、ブランクシート１Ｂ、これにより作成される製函前ブランクＹ及び包装箱Ｘ２は、接合代８０の罫線８４によってポップ表示部１５を正面部３の下部３５から離して前傾させることができる。したがって、ブランクシート１Ｂ、これにより作成される製函前ブランクＹ及び包装箱Ｘ２は、ポップ表示部１５において接合代８０の両脇に水平方向に延びる不図示の補助罫線を入れ、ポップ表示部１５と下部３５との間に溝状の隙間を形成することにより、プライスレール等の部材を跨いでポップ表示部１５を前傾させることも可能となるという効果を奏する。
【００６２】
次に、図１３−図１６を用いて本発明の第３の実施形態のブランクシート１Ｃ、製函前ブランクＹ及び包装箱Ｘ３について説明する。なお、本実施形態において第１の実施形態のブランクシート１Ａ及び包装箱Ｘ１と同一の構成については同一の符号を付してその説明を省略し、主としてブランクシート１Ａ及び包装箱Ｘ１と異なる構成について説明する。
【００６３】
ブランクシート１Ｃ、製函前ブランクＹ及び包装箱Ｘ３は、正面部３に第１の破断線２０と連続する破断線（窓形成破断線）９０Ｌを有し、この破断線９０Ｌで正面部３を破断することにより開口窓９０を形成可能としている点で、第１の実施形態と異なっている。
【００６４】
開口窓９０を形成する破断線９０Ｌは、不図示の商品の下部をしっかり保持し得る程度に前面保持部２３を確保した上で、前面保持部２３の上方に略矩形に形成されている。
ポップ表示部１５を接合させる接合代２２は、開口窓９０の幅よりも小さく形成する必要があるため、図１に示す第１の実施形態における接合代２２の幅寸法よりも小さく形成されている。
【００６５】
破断線９０Ｌの内側に形成され、開口窓９０の形成時に取り除かれる開口片部９１の上端部には、破断線９０Ｌにおいて正面部３を破断するきっかけとなる破断開始スリット９２が形成されている。
【００６６】
以上のブランクシート１Ｃを用いて製函前ブランクＹ及び包装箱Ｘ３を形成する方法は、第１の実施形態と同様である。
包装箱Ｘ３と第１の実施形態の包装箱Ｘ１とは、正面部３に開口窓９０を形成することにより図１４に示す筒状体２の上部を除去しなくても収容された商品の前面を見せることが可能であるとともに、図１４及び図１５に示すように、開口窓９０からポップ表示部１５を前傾させることができる点で相違している。この点以外については、ブランクシート１Ｃ、製函前ブランクＹ及び包装箱Ｘ３は、第１の実施形態と同一の作用、機能及び効果を奏する。
図１６に示すように、包装箱Ｘ３の筒状体２の上部を取り除いた状態は、第１の実施形態と略同様である。
【００６７】
なお、本実施形態では、ポップ表示部１５の幅を開口部の幅以下に設定したが、ポップ表示部１５の幅寸法は、図１７に示すように開口窓９０の幅、すなわち側方支持部２３ｈ，２３ｈ間の幅よりも大きく形成されていてもよい。この場合は、ポップ表示部１５を開口窓９０から容易に出すことが可能なように、ポップ表示部１５をその中心方向に折り曲げ可能にする折り曲げ線９５，９５を形成していることが好ましい。
【００６８】
また、本実施形態は、第２の実施形態のブランクシート１Ｂ、製函前ブランクＹ及び包装箱Ｘ２に応用して開口窓９０を形成しても、本実施形態と同様の作用、機能及び効果を発揮することができる。
【００６９】
次に、図１８−図２１を用いて本発明の第４の実施形態のブランクシート１Ｄ、製函前ブランクＹ及び包装箱Ｘ４について説明する。なお、本実施形態において第３の実施形態のブランクシート１Ｃ及び包装箱Ｘ３と同一の構成については同一の符号を付してその説明を省略し、主としてブランクシート１Ｃ及び包装箱Ｘ３と異なる構成について説明する。
【００７０】
ブランクシート１Ｄ及び包装箱Ｘ４は、ポップ表示部１５を横方向に回動させて正面部３に対し斜め又は直交する方向に情報を掲示することができる点で第３の実施形態と異なる。
【００７１】
具体的には、ブランクシート１Ｄ及び包装箱Ｘ４は、ポップ表示部１５を正面部３の下部３５にポップ表示部１５を接合させる接合代９６を開口窓９０の一方の側部となる側方支持部２３ｈに形成している。また、接合代９６の側辺３ｓ上には、切込み９７が形成されている。
一方、ポップ表示部１５は、接合代９６に対向させることができる幅及び形状で形成されているとともに、幅方向中央部に折り曲げ線９８が形成されている。更にポップ表示部１５は、折り曲げ線９８において折り曲げた際に切込み９７に挿入可能な係止凸部９９が形成されている。
【００７２】
以上の構成により、図１９−図２１に示すように、ブランクシート１Ｄにより形成された包装箱Ｘ４は、ポップ表示部１５を横方向に回動させて掲示することができる。また、図２０，図２１に示すように、ポップ表示部１５を折り曲げ線９８において畳むことによって、左右いずれの方向にも情報を示すことができるという効果を奏する。ブランクシート１Ｄ、製函前ブランクＹ及び包装箱Ｘ４は、上記のほかにも第１の実施形態及び第３の実施形態と同様の作用、機能及び効果を奏する。
【００７３】
なお、第１の実施形態から第４の実施形態及び上記に示したこれらの変形例では、いずれも蓋部１６を有する場合を例示してきたが、ブランクシート１Ａ−１Ｄ，製函前ブランクＹ及び包装箱Ｘ１−Ｘ４は、蓋部１６を有していなくてもよい。
具体的に本発明は、正面部３、一対の側面部４，５及び背面部６の縦（高さ）寸法を各実施形態で例示したものよりも小さく形成した、いわゆる蓋部１６を有しないトレイ形状の包装箱又はこれを形成するブランクシート及び製函前ブランクに応用することもできる。
【００７４】
また、本発明は、前述した各実施形態のように、ポップ表示部１５を第１底フラップ７又は第２底フラップ８のいずれかに分離可能に設けるとともにポップ表示部１５を正面部３に貼着させることができ、かつ、底面部４０の形成時に第１底フラップ７又は第２底フラップ８から分離して正面部３の開口端から前方に突出して掲示可能に構成されてさえいれば、どのようなブランクシート、製函前ブランクＹ及び包装箱にも応用することができる。
【００７５】
具体的には、トレイ形状の包装箱に天面及び筒状体２を覆う蓋部材を被せ、一対の側面部の互いに対向する箇所で包装箱Ｘと蓋部材と接合させるブランクシート、製函前ブランクＹ及び包装箱にも応用することができる。この応用例においては、蓋部材と一対の側面部との接合箇所の周囲に破断線を形成し、この接合箇所を引き起こし又は除去することによって一対の側面部の一部と蓋部材の一部との固定を解除し、蓋部材を着脱自在にできるようにしているとなおよい。
以上、本発明の主要な実施形態について説明したが、本発明は前述した各実施形態及びその変形例又は応用例に限定されるものではなく、係止凸部の差し込み、開口窓９０の形成その他の各要素を適宜組み合わせて更に応用することができる。
【符号の説明】
【００７６】
１Ａ−１Ｄ…ブランクシート
２…筒状体
３…正面部
４…右側面部（側面部）
５…左側面部（側面部）
６…背面部
７…第１底フラップ（底フラップ）
８…第２底フラップ（底フラップ）
９…第３底フラップ（底フラップ）
１５…ポップ表示部
１６…蓋部
２０…第１の破断線  
２５…第２の破断線  
２９…第３の破断線  
４０…底面部
４５…連結部
４５ｓ…連結部破断線
５０…ポップ破断線  
６０…窓形成破断線  
【図１】
2018114991.tif 000003
【図２】
2018114991.tif 000004
【図３】
2018114991.tif 000005
【図４】
2018114991.tif 000006
【図５】
2018114991.tif 000007
【図６】
2018114991.tif 000008
【図７】
2018114991.tif 000009
【図８】
2018114991.tif 000010
【図９】
2018114991.tif 000011
【図１０】
2018114991.tif 000012
【図１１】
2018114991.tif 000013
【図１２】
2018114991.tif 000014
【図１３】
2018114991.tif 000015
【図１４】
2018114991.tif 000016
【図１５】
2018114991.tif 000017
【図１６】
2018114991.tif 000018
【図１７】
2018114991.tif 000019
【図１８】
2018114991.tif 000020
【図１９】
2018114991.tif 000021
【図２０】
2018114991.tif 000022
【図２１】
2018114991.tif 000023